(57)【要約】【課題】本考案は、沖縄独特の音楽を演奏するに際して、特殊奏法を駆使することを必要とせず、熟練者でなくとも沖縄独特の音楽の雰囲気を醸し出すことができ、かつ、従来の尺八の音色や揺らぎを活かした尺八を提供する。【解決手段】指孔が６孔で長さが５４５ｍｍ（１尺８寸）の尺八については、たとえば、基準音階を「Ｄ」とした場合、第１孔ないし第６孔を順に全開していったときに、それぞれ順に「Ｄ」、「Ｅ」、「Ｆ♯」、「Ｇ」、「Ａ」、「Ｃ♯」および１オクターブ高い「Ｄ」の７音を奏でるように調律し、指孔が５孔で長さが５４５ｍｍ（１尺８寸）の尺八については、第１孔ないし第５孔を順に全開していったときに、それぞれ順に「Ｄ」、「Ｆ♯」、「Ｇ」、「Ａ」、「Ｃ♯」および１オクターブ高い「Ｄ」の６音を奏でるように調律した。【選択図】図１
0003132504.tif 000002
【実用新案登録請求の範囲】
【請求項１】
第１孔ないし第６孔の全ての指孔を閉じたときに基準音階が奏でられる尺八において西洋音階で表したときに、
第１孔を全開したときには該基準音階よりも長二度上の音程が奏でられ、
第２孔を全開したときには該基準音階よりも長三度上の音程が奏でられ、
第３孔を全開したときには該基準音階よりも完全四度上の音程が奏でられ、
第４孔を全開したときには該基準音階よりも完全五度上の音程が奏でられ、
第５孔を全開したときには該基準音階よりも減八度上の音程が奏でられ、
第６孔を全開したときには該基準音階よりも１オクターブ高い音階が奏でられるよう琉球旋法用に調律された、ことを特徴とする琉球旋法用尺八。
【請求項２】
第１孔ないし第５孔の全ての指孔を閉じたときに基準音階が奏でられる尺八において西洋音階で表したときに、
第１孔を全開したときには該基準音階よりも長三度上の音程が奏でられ、
第２孔を全開したときには該基準音階よりも完全四度上の音程が奏でられ、
第３孔を全開したときには該基準音階よりも完全五度上の音程が奏でられ、
第４孔を全開したときには該基準音階よりも減八度上の音程が奏でられ、
第５孔を全開したときには該基準音階よりも１オクターブ高い音程が奏でられるよう琉球旋法用に調律された、ことを特徴とする琉球旋法用尺八。
【考案の詳細な説明】
【技術分野】
【０００１】
本考案は、いわゆるメリ吹きをせずに歌口に直接唇を当て基本運指をしたときに、琉球旋法を奏でる尺八に関する。
【背景技術】
【０００２】
尺八の音の高さは尺八の長さで一義的に決まるものではないが、一尺八寸の長さ（５４５ｍｍ）の通常の尺八では、概ね２寸（６０ｍｍ）違うと音の高さは１音異なるとされている。そして、一尺八寸の長さの５孔から構成されている従来の尺八では、基本音階は、「ロ」、「ツ」、「レ」、「チ」および「リ」からなる民謡音階であり、いわゆるメリ吹きをせずに歌口に直接唇を当て基本運指をしたときの基本音階は、西洋音階で表示すると、表１に示す五線譜のような、「Ｄ」、「Ｆ」、「Ｇ」、「Ａ」、「Ｃ」および「Ｄ」を奏でるようになっている。
なお、本願明細書では、以後、音階は西洋音階で表示することとする。 
【０００３】
【表１】
0003132504.tif 000003
【０００４】
ところで、上述した「メリ吹き」は、歌口に唇を少し近づけるとともに顎を少し引いて、歌口からの息の吹き入れ角度を下方に下げて調節するとともに、所定の指孔を概ね半開にすることにより音程を下げる奏法である。この奏法を駆使することにより、尺八で西洋音楽を演奏することが可能であるが、これらの奏法を自在に操るためには、相当の熟練を要することから、西洋音楽に適した７孔からなる７孔尺八が開発されている。この７孔尺八の基本音階は、フリギヤ旋法とも呼ばれていて、一尺八寸の尺八では、表２に示す五線譜のような、「Ｄ」、「Ｅ♭」、「Ｆ」、「Ｇ」、「Ａ」、「Ｂ♭」、「Ｃ」および「Ｄ」を奏でるようになっている。
【０００５】
【表２】
0003132504.tif 000004
【０００６】
一方、本願出願人は、尺八を始めとする楽器に関する特許出願をしていて、この技術的な内容は特開２００４−３１７５６９号公報に開示されている。この技術は、「材質的にグレードダウンした合成樹脂材や木材を、音源となる胴体の材料としても、聴感上優れた音を得ることができる楽器、管楽器もしくは笛を提供する」ことを目的としていて、「非金属製材料、具体的には合成樹脂製材料で形成され、空気振動を放出する楽器、例えば尺八の胴体の外周囲に、当該胴体の硬度よりも硬度の高い硬質層を形成するようにした。あるいは、胴体の弾性係数よりも弾性係数の小さい剛性層を形成するようにした」ことにより、目的を達成したものである。
【０００７】
しかしながら、この技術は、いわば音色に関するものであって、旋法や音階に関するものではない。
この尺八の旋法や音階に関する発明として、特開平８−３１４４４６号公報に開示の尺八がある。この公報に開示された尺八は、「５孔尺八の『揺らぎ』の表現を可能にしつつ、メリを使用すること無くＥ♭やＢ♭等の半音階を正確且つ容易に発音できる」尺八を提供することを目的としていて、この目的を達成するために、「第１孔及び第４孔の指孔を基準位置よりも歌口方向寄りに穿孔し、当該第１孔及び第４孔の指孔の管表面側の縁に傾斜を設け、当該第１孔及び第４孔を管表面側において管尻方向寄りに拡大した」構成としたものである。
【特許文献１】特開２００４−３１７５６９号公報
【特許文献２】特開平８−３１４４４６号公報
【考案の開示】
【考案が解決しようとする課題】
【０００８】
本願出願人は永年、尺八演奏家として尺八に携わってきたが、尺八の音色が沖縄独特の音楽的雰囲気に非常に良く調和することを見出した。
ところが、この沖縄独特の音楽である琉球旋法（「沖縄旋法」ともいう。）を従来の５孔尺八や上述した７孔尺八で演奏するためには、「メリ吹き」などの特殊奏法を必要とし、熟練者でないと自由に演奏することはできない。
また、特開平８−３１４４４６号公報に開示の尺八であっても、沖縄独特の音楽を演奏するためには、「メリ吹き」のような特殊奏法を必要とする。
【０００９】
そこで、本願考案は、沖縄独特の音楽を演奏するに際して、「メリ吹き」などの特殊奏法を必要とせず、熟練者でなくとも沖縄独特の音楽の雰囲気を醸し出すことができ、かつ、従来の尺八の音色や揺らぎを活かした尺八を提供することを目的とする。
【００１０】
上記目的を達成するため、本願請求項１に係る琉球旋法用尺八は、第１孔ないし第６孔の全ての指孔を閉じたときに基準音階が奏でられる尺八において西洋音階で表したときに、第１孔を全開したときには該基準音階よりも長二度上の音程が奏でられ、第２孔を全開したときには該基準音階よりも長三度上の音程が奏でられ、第３孔を全開したときには該基準音階よりも完全四度上の音程が奏でられ、第４孔を全開したときには該基準音階よりも完全五度上の音程が奏でられ、第５孔を全開したときには該基準音階よりも減八度上の音程が奏でられ、第６孔を全開したときには該基準音階よりも１オクターブ高い音階が奏でられるよう琉球旋法用に調律された、ことを特徴としている。
【００１１】
また、本願請求項２に係る琉球旋法用尺八は、第１孔ないし第５孔の全ての指孔を閉じたときに基準音階が奏でられる尺八において西洋音階で表したときに、第１孔を全開したときには該基準音階よりも長三度上の音程が奏でられ、第２孔を全開したときには該基準音階よりも完全四度上の音程が奏でられ、第３孔を全開したときには該基準音階よりも完全五度上の音程が奏でられ、第４孔を全開したときには該基準音階よりも減八度上の音程が奏でられ、第５孔を全開したときには該基準音階よりも１オクターブ高い音程が奏でられるよう琉球旋法用に調律された、ことを特徴としている。
【考案の効果】
【００１２】
請求項１に係る琉球旋法用尺八は、上記の構成により、第１孔ないし第６孔の全ての指孔を閉じたときに基準音階が奏でられ、第１孔、第２孔、第３孔、第４孔、第５孔および第６孔を順に全開したときに、それぞれ該基準音階よりも長二度上の音程、長三度上の音程、完全四度上の音程、完全五度上の音程、減八度上の音程および１オクターブ高い基準音階が奏でられるように調律されていて、これらの基本音階により、「メリ吹き」などの特殊奏法をしなくとも、沖縄独特の音楽である琉球旋法を演奏することができるとともに、従来の尺八同様の音色や揺らぎを活かした演奏をすることができ、さらに、沖縄音楽に多い転調もきわめて容易にできる。
【００１３】
また、請求項２に係る琉球旋法用尺八は、上記の構成により、第１孔ないし第５孔の全ての指孔を閉じたときに基準音階が奏でられ、第１孔、第２孔、第３孔、第４孔および第５孔を順に全開したときに、それぞれ該基準音階よりも長三度上の音程、完全四度上の音程、完全五度上の音程、減八度上の音程および１オクターブ高い基準音階が奏でられるように調律されていて、これらの基本音階により、「メリ吹き」などの特殊奏法をしなくとも、沖縄独特の音楽を演奏することができるとともに、従来の尺八同様の音色や揺らぎを活かした演奏をすることができる。
【考案を実施するための最良の形態】
【００１４】
以下、本願考案を実施するための最良の形態に係る実施例１および実施例２について、図１および図２に基づいて説明する。なお、図１は、実施例１に係る琉球旋法用尺八の正面図であり、図２は、実施例２に係る琉球旋法用尺八の正面図である。
また、図１および図２において、符号１は実施例１に係る琉球旋法用尺八、符号２は実施例２に係る琉球旋法用尺八、符号１１は管、符号１３は管尻、符号１５は歌口、符号２１は第１孔、符号２２は第２孔、符号２３は第３孔、符号２４は第４孔、符号２５は第５孔、符号２６は第６孔、である。
【実施例１】
【００１５】
まず、実施例１に係る琉球旋法用尺八１について、図１を基に説明する。
琉球旋法用尺八１は、全長が５４５ｍｍ（一尺八寸）の竹製の尺八であり、下端部を管尻１３とし上端部を歌口１５として、いわゆる管１１の正面側に管尻１３側から順に第１孔２１、第２孔２２、第３孔２３、第４孔２４、第５孔２５が穿設されていて、裏面側には第５孔２５よりも歌口１５側に寄った位置に第６孔２６が穿設されている。すなわち、琉球旋法用尺八１には、指孔である第１孔２１ないし第６孔２６の６つの孔が穿設されている。
【００１６】
第１孔２１ないし第６孔２６の穿設位置は、素材の竹が天然材であって、管１１の内径が一定ではなく、肉厚も異なり、かつ、肉厚部分の外層、中層、内層では密度が異なるため、定量的に定められるものではない。そのため「調律」が必要になる。
【００１７】
この「調律」は、以下の手順による。
（１）第１孔２１ないし第６孔２６を穿設する前に琉球旋法用尺八１を吹き、その音を調律時の基準音階とする。なお、以下に示す具体的な音階は、この基準音階を「Ｄ」とした場合である。
（２）基準音階「Ｄ」から長二度上の音程である「Ｅ」の大よその位置を定め、小さめの孔を穿設して琉球旋法用尺八１を吹き、その音を聴きながら小さめの孔の径を大きくしつつ、孔の中心位置を前後方向に調整して第１孔２１とする。
なお、前後方向とは、管尻１３と歌口１５を結ぶ方向をいう。
（３）さらに、基準音階「Ｄ」から長三度上の音程「Ｆ♯」の大よその位置を定め、第１孔２１と同様に調律しながら第２孔２２を穿設する。
（４）同様にして、基準音階「Ｄ」から完全四度上の音程である「Ｇ」の音階を奏でる第３孔２３、基準音階「Ｄ」から完全五度上の音程である「Ａ」の音階を奏でる第４孔２４、基準音階「Ｄ」から減八度上の音程である「Ｃ♯」の音階を奏でる第５孔２５および基準音階よりも１オクターブ高い「Ｄ」の音階を奏でる第６孔２６を穿設する。
（５）その後、漆やカシュー塗料などで塗色する。
【００１８】
上記の「Ｄ」、「Ｅ」、「Ｆ♯」、「Ｇ」、「Ａ」、「Ｃ♯」および「Ｄ」からなる基本音階を五線譜で示したものが表３である。なお、この基本音階は、上述したように、尺八の音の高さは尺八の長さで一義的に決まるものではないが、一尺八寸の長さ（５４５ｍｍ）の尺八の基準音階が「Ｄ」の場合を示している。
【００１９】
【表３】
0003132504.tif 000005
【００２０】
因みに、具体的な製品について、内径および肉厚が略同様の従来の５孔からなる尺八と琉球旋法用尺八１とを比較した場合の第１孔２１ないし第６孔２６の孔の中心位置の管尻１３からの距離を表４に示す。なお、この表の数値は管尻１３からの距離をミリ単位で示したものである。また、当該具体的な製品における従来の５孔からなる尺八と琉球旋法用尺八１の管１１の全長は５４５ｍｍ（一尺八寸）である。
【００２１】
【表４】
0003132504.tif 000006
【００２２】
なお、表４に示す寸法は、自然材である竹で製作された具体的な尺八の寸法であり、琉球旋法用尺八１に共通する寸法ではないことはもちろんであり、琉球旋法用尺八１の全長も５４５ｍｍに限定されるものではない。
【００２３】
このような琉球旋法用尺八１の構成により、第１孔２１ないし第６孔２６の全てを閉じたときに「Ｄ」が奏でられ、第１孔２１を全開したときに「Ｅ」が奏でられ、第２孔２２を全開したときに「Ｆ♯」が奏でられ、第３孔２３を全開したときに「Ｇ」が奏でられ、第４孔２４を全開したときに「Ａ」が奏でられ、第５孔２５を全開したときに「Ｃ♯」が奏でられ、第６孔２６を全開したときに前記の「Ｄ」よりも１オクターブ高い「Ｄ」が奏でられる。
この構成により、琉球旋法用尺八１は、「メリ吹き」などの特殊奏法を駆使することなく、「Ｄ」、「Ｅ」、「Ｆ♯」、「Ｇ」、「Ａ」、「Ｃ♯」および「Ｄ」の音階を奏でることができ、沖縄独特の音楽を演奏することができるとともに、従来の尺八と同様に、尺八独特の揺らぎも奏でることができるため、沖縄独特の音楽により一層の深みを与えることができる。さらに、第１孔２１により、沖縄独特の音楽に多い転調に対し、後述する琉球旋法用尺八２よりも容易に対応することができる。
【００２４】
なお、先に述べたように、尺八の音の高さは尺八の長さで一義的に決まるものではなく、尺八の内径の大きさなどの違いにより第１孔２１ないし第６孔２６を穿設する前の基準音階は微妙に異なるが、この基準音階が「Ｄ」以外の音階であっても、基準音階に対する第１孔２１の音程が長二度上であること、基準音階に対する第２孔２２音程が長三度上であること、基準音階に対する第３孔２３の音程が完全四度上であること、基準音階に対する第４孔２４の音程が完全五度上であること、基準音階に対する第５孔２５の音程が減八度上であること、基準音階に対する第６孔２６の音程が１オクターブ上であることに変わりはない、ことは勿論である。
【００２５】
ところで、琉球旋法用尺八１を木製や合成樹脂製とすることもできる。
本来、尺八は竹製とすることにより尺八独特の音色や揺らぎを奏でることができるとともに、芸術品あるいは工芸品としての価値も高いものであるが、尺八に適した竹の入手が困難であるとともに、天然材であるため一つとして同じものがなく、多くの製造工程を手作業で行うことから高価なものとなっている。この点、入手が容易な天然材である木製や人工材である合成樹脂製とすることにより、品質が揃った安価なものとすることができる。すなわち、木製の場合は、木材をパイプ状に成形した後、指孔である第１孔ないし第６孔を穿設し、合成樹脂製の場合は、合成樹脂をパイプ状に加工した後、指孔である第１孔ないし第６孔を穿設することになる。
そして、木製や合成樹脂製の場合、とくに合成樹脂製の場合は、材質やパイプの内径を均一とすることができるので、第１孔２１ないし第５孔２５の穿設位置も機械的に定められ、削孔も容易であるので、琉球旋法用尺八１をきわめて安価に製造することができる。
【００２６】
なお、木製や合成樹脂製とする場合には、本願出願人が先に出願した特開２００４−３１７５６９号公報に開示の「尺八の胴体（管）の外周囲に、当該胴体の硬度よりも硬度の高い硬質層を形成するようにする」技術を併用することにより、聴感上優れた音を奏でる尺八とすることができる。
【実施例２】
【００２７】
つぎに、実施例２に係る琉球旋法用尺八について、図２を基に説明する。
琉球旋法用尺八２は、琉球旋法用尺八１と略同様に構成されていて、外観上異なるところは、指孔の数である。すなわち、琉球旋法用尺八１が６孔からなるのに対し、琉球旋法用尺八２は５孔からなっている。そのため、琉球旋法用尺八２については、主に、異なる構成と異なる効果について説明する。
【００２８】
琉球旋法用尺八２も琉球旋法用尺八１と同様に、前長が５４５ｍｍ（一尺八寸）の竹製の尺八であり、下端部を管尻１３とし上端部を歌口１５として、いわゆる管１１の正面側に管尻１３側から順に第１孔２１、第２孔２２、第３孔２３、第４孔２４が穿設されていて、裏面側には第４孔２４よりも歌口１５側に寄った位置に第５孔２５が穿設されている。すなわち、琉球旋法用尺八２には、指孔である第１孔２１ないし第５孔２５の５つの孔が穿設されている。
【００２９】
第１孔２１ないし第５孔２５の穿設位置は、素材の竹が天然材であって、管１１の内径が一定ではなく、肉厚も異なり、かつ、肉厚部分の外層、中層、内層では密度が異なるため、定量的に定められるものではない。そのため「調律」が必要になる。
【００３０】
この「調律」は、以下の手順による。
（１）第１孔２１ないし第５孔２５を穿設する前に琉球旋法用尺八２を吹き、その音を調律時の基準音階とする。なお、以下に示す具体的な音階は、この基準音階を「Ｄ」とした場合である。
（２）基準音階「Ｄ」から長三度上の音程である「Ｅ」の大よその位置を定め、小さめの孔を穿設して琉球旋法用尺八２を吹き、その音を聴きながら小さめの孔の径を大きくしつつ、孔の中心位置を前後方向に調整して第１孔２１とする。
すなわち、琉球旋法用尺八２の第１孔２１の位置は、琉球旋法用尺八１の第２孔２２の位置と前後方向において同位置となる。ここで、「前後方向において同位置」としたのは、尺八の音階は前後方向における孔の位置により定まり、前後方向における孔の位置が同一であれば左右方向に移動させても尺八の音階には影響を及ぼさないからである。
（３）そして、第２孔２２、第３孔２３、第４孔２４および第５孔２５の孔の前後方向のそれぞれの位置を、琉球旋法用尺八１の第３孔２３、第４孔２４、第５孔２５および第６孔２６と同一にして穿設する。
（４）その後、漆やカシュー塗料などで塗色することは、琉球旋法用尺八１の場合と同様である。
【００３１】
上記の「Ｄ」、「Ｆ♯」、「Ｇ」、「Ａ」、「Ｃ♯」および「Ｄ」からなる基本音階を五線譜で示したものが表５である。なお、この基本音階は、琉球旋法用尺八１の場合と同様に、一尺八寸の長さ（５４５ｍｍ）の尺八の基準音階が「Ｄ」の場合を示している。
【００３２】
【表５】
0003132504.tif 000007
【００３３】
このような琉球旋法用尺八２の構成により、第１孔２１ないし第５孔２５の全てを閉じたときに「Ｄ」が奏でられ、第１孔２１を全開したときに「Ｆ♯」が奏でられ、第２孔２２を全開したときに「Ｇ」が奏でられ、第３孔２３を全開したときに「Ａ」が奏でられ、第４孔２４を全開したときに「Ｃ♯」が奏でられ、第５孔２５を全開したときに前記の「Ｄ」よりも１オクターブ高い「Ｄ」が奏でられる。
この構成により、琉球旋法用尺八２は、「メリ吹き」などの特殊奏法を駆使することなく、「Ｄ」、「Ｆ♯」、「Ｇ」、「Ａ」、「Ｃ♯」および「Ｄ」の音階を奏でることができ、沖縄独特の音楽を演奏することができる。さらに、従来の尺八と同様に、尺八独特の揺らぎも奏でることができるため、沖縄独特の音楽により一層の深みを与えることができる。
【００３４】
なお、琉球旋法用尺八２についても、琉球旋法用尺八１と同様に、尺八の音の高さは尺八の長さで一義的に決まるものではなく、尺八の内径の大きさなどの違いにより第１孔２１ないし第６孔２６を穿設する前の基準音階は微妙に異なるが、この基準音階が「Ｄ」以外の音階であっても、基準音階に対する第１孔２１の音程が長三度上であること、基準音階に対する第２孔２２音程が完全四度上であること、基準音階に対する第３孔２３の音程が完全五度上であること、基準音階に対する第４孔２４の音程が減八度上であること、基準音階に対する第５孔２５の音程が１オクターブ上であることに変わりはない、ことは勿論である。
【００３５】
また、琉球旋法用尺八２についても、琉球旋法用尺八１と同様に、木製や合成樹脂製とすることもできる。そして、この効果については、琉球旋法用尺八１の場合と同様であるので、その説明を省略する。
【図面の簡単な説明】
【００３６】
【図１】図１は、実施例１に係る琉球旋法用尺八の正面図である。
【図２】図２は、実施例２に係る琉球旋法用尺八の正面図である。
【符号の説明】
【００３７】
１  実施例１に係る琉球旋法用尺八
２  実施例２に係る琉球旋法用尺八
１３  管尻
１５  歌口
２１  第１孔
２２  第２孔
２３  第３孔
２４  第４孔
２５  第５孔
２６  第６孔
【図１】
0003132504.tif 000008
【図２】
0003132504.tif 000009
【手続補正書】
【提出日】平成19年4月2日(2007.4.2)
【手続補正１】
【補正対象書類名】実用新案登録請求の範囲
【補正対象項目名】全文
【補正方法】変更
【補正の内容】
【実用新案登録請求の範囲】
【請求項１】
竹筒の根元側を管尻とし反対側を歌口とする所定の長さの該竹筒の表面側に該管尻側から順に第１孔、第２孔、第３孔、第４孔および第５孔が貫設されるとともに該第５孔よりも該歌口側の該竹筒の裏面側に第６孔が貫設され、
前記第１孔ないし第６孔を閉じたときに基準音階を奏で、
前記第１孔を全開したときには前記基準音階よりも長二度上の音程を奏で、
前記第２孔を全開したときには前記基準音階よりも長三度上の音程を奏で、
前記第３孔を全開したときには前記基準音階よりも完全四度上の音程を奏で、
前記第４孔を全開したときには前記基準音階よりも完全五度上の音程を奏で、
前記第５孔を全開したときには前記基準音階よりも減八度上の音程を奏で、
前記第６孔を全開したときには前記基準音階よりも１オクターブ高い音階を奏でるよう琉球旋法用に調律された、ことを特徴とする琉球旋法用尺八。
【請求項２】
前記所定の長さを略５４５ｍｍ（一尺八寸）としたときに、
前記第１孔の中心位置の前記管尻からの距離を略１００ｍｍとし、前記第２孔の中心位置の前記管尻からの距離を略１４５ｍｍとし、前記第３孔の中心位置の前記管尻からの距離を略１７０ｍｍとし、前記第４孔の中心位置の前記管尻からの距離を略２２３ｍｍとし、前記第５孔の中心位置の前記管尻からの距離を略３００ｍｍとし、前記第５孔の中心位置の前記管尻からの距離を略３２３ｍｍとし、
前記第１孔ないし第６孔を閉じたときに基準音階である「Ｄ」を奏で、
前記第１孔を全開したときには前記基準音階よりも長二度上の音程である「Ｅ」を奏で、
前記第２孔を全開したときには前記基準音階よりも長三度上の音程である「Ｆ♯」を奏で、
前記第３孔を全開したときには前記基準音階よりも完全四度上の音程である「Ｇ」を奏で、
前記第４孔を全開したときには前記基準音階よりも完全五度上の音程である「Ａ」を奏で、
前記第５孔を全開したときには前記基準音階よりも減八度上の音程である「Ｃ♯」を奏で、
前記第６孔を全開したときには前記基準音階よりも１オクターブ高い音階である「Ｄ」を奏でるよう琉球旋法用に調律された、ことを特徴とする請求項１に記載の琉球旋法用尺八。
【請求項３】
竹筒の根元側を管尻とし反対側を歌口とする所定の長さの該竹筒の表面側に該管尻側から順に第１孔、第２孔、第３孔および第４孔が貫設されるとともに該第４孔よりも該歌口側の該竹筒の裏面側に第５孔が貫設され、
前記第１孔ないし第５孔を閉じたときに基準音階を奏で、
前記第１孔を全開したときには前記基準音階よりも長三度上の音程を奏で、
前記第２孔を全開したときには前記基準音階よりも完全四度上の音程を奏で、
前記第３孔を全開したときには前記基準音階よりも完全五度上の音程を奏で、
前記第４孔を全開したときには前記基準音階よりも減八度上の音程を奏で、
前記第５孔を全開したときには前記基準音階よりも１オクターブ高い音階を奏でるよう琉球旋法用に調律された、ことを特徴とする琉球旋法用尺八。
【請求項４】
前記所定の長さを略５４５ｍｍ（一尺八寸）としたときに、
前記第１孔の中心位置の前記管尻からの距離を略１４５ｍｍとし、前記第２孔の中心位置の前記管尻からの距離を略１７０ｍｍとし、前記第３孔の中心位置の前記管尻からの距離を略２２３ｍｍとし、前記第４孔の中心位置の前記管尻からの距離を略３００ｍｍとし、前記第５孔の中心位置の前記管尻からの距離を略３２３ｍｍとし、
前記第１孔ないし第５孔を閉じたときに基準音階である「Ｄ」を奏で、
前記第１孔を全開したときには前記基準音階よりも長三度上の音程である「Ｆ♯」を奏で、
前記第２孔を全開したときには前記基準音階よりも完全四度上の音程である「Ｇ」を奏で、
前記第３孔を全開したときには前記基準音階よりも完全五度上の音程である「Ａ」を奏で、
前記第４孔を全開したときには前記基準音階よりも減八度上の音程である「Ｃ♯」を奏で、
前記第５孔を全開したときには前記基準音階よりも１オクターブ高い音階である「Ｄ」を奏でるよう琉球旋法用に調律された、ことを特徴とする請求項３に記載の琉球旋法用尺八。
【手続補正２】
【補正対象書類名】明細書
【補正対象項目名】００１０
【補正方法】変更
【補正の内容】
【００１０】
上記目的を達成するため、本願請求項１に係る琉球旋法用尺八は、竹筒の根元側を管尻とし反対側を歌口とする所定の長さの該竹筒の表面側に該管尻側から順に第１孔、第２孔、第３孔、第４孔および第５孔が貫設されるとともに該第５孔よりも該歌口側の該竹筒の裏面側に第６孔が貫設され、前記第１孔ないし第６孔を閉じたときに基準音階を奏で、前記第１孔を全開したときには前記基準音階よりも長二度上の音程を奏で、前記第２孔を全開したときには前記基準音階よりも長三度上の音程を奏で、前記第３孔を全開したときには前記基準音階よりも完全四度上の音程を奏で、前記第４孔を全開したときには前記基準音階よりも完全五度上の音程を奏で、前記第５孔を全開したときには前記基準音階よりも減八度上の音程を奏で、前記第６孔を全開したときには前記基準音階よりも１オクターブ高い音階を奏でるよう琉球旋法用に調律された、ことを特徴としている。
また、本願請求項２に係る琉球旋法用尺八は、請求項１に記載の琉球旋法用尺八であって、前記所定の長さを略５４５ｍｍ（一尺八寸）としたときに、前記第１孔の中心位置の前記管尻からの距離を略１００ｍｍとし、前記第２孔の中心位置の前記管尻からの距離を略１４５ｍｍとし、前記第３孔の中心位置の前記管尻からの距離を略１７０ｍｍとし、前記第４孔の中心位置の前記管尻からの距離を略２２３ｍｍとし、前記第５孔の中心位置の前記管尻からの距離を略３００ｍｍとし、前記第５孔の中心位置の前記管尻からの距離を略３２３ｍｍとし、前記第１孔ないし第６孔を閉じたときに基準音階である「Ｄ」を奏で、前記第１孔を全開したときには前記基準音階よりも長二度上の音程である「Ｅ」を奏で、前記第２孔を全開したときには前記基準音階よりも長三度上の音程である「Ｆ♯」を奏で、前記第３孔を全開したときには前記基準音階よりも完全四度上の音程である「Ｇ」を奏で、前記第４孔を全開したときには前記基準音階よりも完全五度上の音程である「Ａ」を奏で、前記第５孔を全開したときには前記基準音階よりも減八度上の音程である「Ｃ♯」を奏で、前記第６孔を全開したときには前記基準音階よりも１オクターブ高い音階である「Ｄ」を奏でるよう琉球旋法用に調律された、ことを特徴としている。
【手続補正３】
【補正対象書類名】明細書
【補正対象項目名】００１１
【補正方法】変更
【補正の内容】
【００１１】
そして、本願請求項３に係る琉球旋法用尺八は、竹筒の根元側を管尻とし反対側を歌口とする所定の長さの該竹筒の表面側に該管尻側から順に第１孔、第２孔、第３孔および第４孔が貫設されるとともに該第４孔よりも該歌口側の該竹筒の裏面側に第５孔が貫設され、前記第１孔ないし第５孔を閉じたときに基準音階を奏で、前記第１孔を全開したときには前記基準音階よりも長三度上の音程を奏で、前記第２孔を全開したときには前記基準音階よりも完全四度上の音程を奏で、前記第３孔を全開したときには前記基準音階よりも完全五度上の音程を奏で、前記第４孔を全開したときには前記基準音階よりも減八度上の音程を奏で、前記第５孔を全開したときには前記基準音階よりも１オクターブ高い音階を奏でるよう琉球旋法用に調律された、ことを特徴としている。
さらに、本願請求項４に係る琉球旋法用尺八は、請求項３に記載の琉球旋法用尺八であって、前記所定の長さを略５４５ｍｍ（一尺八寸）としたときに、前記第１孔の中心位置の前記管尻からの距離を略１４５ｍｍとし、前記第２孔の中心位置の前記管尻からの距離を略１７０ｍｍとし、前記第３孔の中心位置の前記管尻からの距離を略２２３ｍｍとし、前記第４孔の中心位置の前記管尻からの距離を略３００ｍｍとし、前記第５孔の中心位置の前記管尻からの距離を略３２３ｍｍとし、前記第１孔ないし第５孔を閉じたときに基準音階である「Ｄ」を奏で、前記第１孔を全開したときには前記基準音階よりも長三度上の音程である「Ｆ♯」を奏で、前記第２孔を全開したときには前記基準音階よりも完全四度上の音程である「Ｇ」を奏で、前記第３孔を全開したときには前記基準音階よりも完全五度上の音程である「Ａ」を奏で、前記第４孔を全開したときには前記基準音階よりも減八度上の音程である「Ｃ♯」を奏で、前記第５孔を全開したときには前記基準音階よりも１オクターブ高い音階である「Ｄ」を奏でるよう琉球旋法用に調律された、ことを特徴とする請求項３に記載の琉球旋法用尺八。
【手続補正４】
【補正対象書類名】明細書
【補正対象項目名】００１２
【補正方法】変更
【補正の内容】
【００１２】
請求項１および請求項２に係る琉球旋法用尺八は、上記の構成により、第１孔ないし第６孔の全ての指孔を閉じたときに基準音階が奏でられ、第１孔、第２孔、第３孔、第４孔、第５孔および第６孔を順に全開したときに、それぞれ該基準音階よりも長二度上の音程、長三度上の音程、完全四度上の音程、完全五度上の音程、減八度上の音程および１オクターブ高い基準音階が奏でられるように調律されていて、これらの基本音階により、「メリ吹き」などの特殊奏法をしなくとも、沖縄独特の音楽である琉球旋法を演奏することができるとともに、従来の尺八同様の音色や揺らぎを活かした演奏をすることができ、さらに、沖縄音楽に多い転調もきわめて容易にできる。
【手続補正５】
【補正対象書類名】明細書
【補正対象項目名】００１３
【補正方法】変更
【補正の内容】
【００１３】
また、請求項３および請求項４に係る琉球旋法用尺八は、上記の構成により、第１孔ないし第５孔の全ての指孔を閉じたときに基準音階が奏でられ、第１孔、第２孔、第３孔、第４孔および第５孔を順に全開したときに、それぞれ該基準音階よりも長三度上の音程、完全四度上の音程、完全五度上の音程、減八度上の音程および１オクターブ高い基準音階が奏でられるように調律されていて、これらの基本音階により、「メリ吹き」などの特殊奏法をしなくとも、沖縄独特の音楽を演奏することができるとともに、従来の尺八同様の音色や揺らぎを活かした演奏をすることができる。